(57)【特許請求の範囲】
【請求項１】
住宅の浴室に設置される本体装置の点検時期を監視する第１の監視情報を生成する第１の監視手段と、
前記本体装置を構成する部品の点検時期を監視する第２の監視情報を生成する第２の監視手段と、
前記本体装置の点検時期を特定する第１の耐用情報及び前記部品の点検時期を特定する第２の耐用情報と、前記第１の監視手段で生成された第１の監視情報及び前記第２の監視手段で生成された第２の監視情報を記憶する記憶手段と、
前記記憶手段に記憶された第１の監視情報と第１の耐用情報を比較して、前記本体装置の点検時期を判断し、前記本体装置の点検要請情報を出力すると共に、前記記憶手段に記憶された第２の監視情報と第２の耐用情報を比較して、前記部品の点検時期を判断し、前記部品の点検要請情報を出力する制御手段とを備え、
前記記憶手段は、前記本体装置に設けられる本体記憶手段と、前記本体装置を操作する操作装置に設けられる操作部記憶手段を備え、
前記第１の監視手段は、前記本体装置の設置で設定された運転開始基準日からの時間の積算値を第１の監視情報として計時し、
前記本体記憶手段及び前記操作部記憶手段は、前記第１の監視手段で計時した運転開始基準日からの時間の積算値が第１の監視情報として記憶されると共に、予め設定される前記本体装置の耐用時間が第１の耐用情報として記憶され、保守対象の部品として定められたヒータの耐用通電時間及びヒータの耐用ＯＮ／ＯＦＦ回数が、第２の耐用情報として記憶されると共に、ヒータに通電した時間及びヒータのＯＮ／ＯＦＦの回数が第２の監視情報として記憶され、
前記制御手段は、前記本体記憶手段及び前記操作部記憶手段に記憶された第１の監視情報を、前記本体装置の所定の点検でリセットすると共に、前記本体記憶手段及び前記操作部記憶手段に記憶された第２の監視情報を、保守対象の部品の点検でリセットすることが可能で、
かつ、前記本体記憶手段及び前記操作部記憶手段に記憶された第１の耐用情報と第２の耐用情報を、所定の操作により新しい値に書き換え可能であるとし、書き換え後の第１の耐用情報が、書き換え前の第１の耐用情報より短い値に設定され、前記本体記憶手段及び前記操作部記憶手段に記憶された第１の耐用情報が、書き換え前より短い値に書き換えられると共に、
前記本体記憶手段の記憶内容が正常であり、前記操作部記憶手段の記憶内容が新規または破壊されていると、前記本体記憶手段の記憶内容を前記操作部記憶手段に記憶し、前記操作部記憶手段の記憶内容が正常であり、前記本体記憶手段の記憶内容が新規または破壊されていると、前記操作部記憶手段の記憶内容を前記本体記憶手段に記憶する
ことを特徴とする設備機器。
【請求項２】
前記本体装置は、複数の運転モードが選択可能に設定され、運転モード毎に前記部品の点検時期を特定する第２の耐用情報が設定される
ことを特徴とする請求項１記載の設備機器。
【請求項３】
前記制御手段は、前記第１の耐用情報で特定される前記本体装置の点検時期の前に、１回または複数回の点検要請通知時期が設定され、前記記憶手段に記憶された第１の監視情報から、点検要請通知時期に到達したと判断すると、前記本体装置の点検要請情報を出力する
ことを特徴とする請求項１または２記載の設備機器。
【発明の詳細な説明】
【技術分野】
【０００１】
本発明は、住宅で使用される設備機器に関する。
【背景技術】
【０００２】
従来、住宅で使用される浴室換気乾燥暖房機等の設備機器（例えば、特許文献１参照）は、故障が発生した場合等には、ユーザから修理の依頼が出される。
【０００３】
また、設備機器は、長期間の使用で部品が経年劣化するので、故障が発生していなくても、点検が必要となる場合がある。
【０００４】
【特許文献１】特開２００６−２６２４３号公報
【発明の開示】
【発明が解決しようとする課題】
【０００５】
しかし、従来の設備機器では、故障が発生する前や、長期間の使用を考慮して、点検の必要性をユーザに通知する手段がなかった。
【０００６】
本発明は、このような課題を解決するためになされたもので、点検の必要性をユーザに通知できるようにした設備機器を提供することを目的とする。
【課題を解決するための手段】
【０００７】
上述した課題を解決するため、本発明の設備機器は、住宅の浴室に設置される本体装置の点検時期を監視する第１の監視情報を生成する第１の監視手段と、本体装置を構成する部品の点検時期を監視する第２の監視情報を生成する第２の監視手段と、本体装置の点検時期を特定する第１の耐用情報及び部品の点検時期を特定する第２の耐用情報と、第１の監視手段で生成された第１の監視情報及び第２の監視手段で生成された第２の監視情報を記憶する記憶手段と、記憶手段に記憶された第１の監視情報と第１の耐用情報を比較して、本体装置の点検時期を判断し、本体装置の点検要請情報を出力すると共に、記憶手段に記憶された第２の監視情報と第２の耐用情報を比較して、部品の点検時期を判断し、部品の点検要請情報を出力する制御手段とを備え、記憶手段は、本体装置に設けられる本体記憶手段と、本体装置を操作する操作装置に設けられる操作部記憶手段を備え、第１の監視手段は、本体装置の設置で設定された運転開始基準日からの時間の積算値を第１の監視情報として計時し、本体記憶手段及び操作部記憶手段は、第１の監視手段で計時した運転開始基準日からの時間の積算値が第１の監視情報として記憶されると共に、予め設定される本体装置の耐用時間が第１の耐用情報として記憶され、保守対象の部品として定められたヒータの耐用通電時間及びヒータの耐用ＯＮ／ＯＦＦ回数が、第２の耐用情報として記憶されると共に、ヒータに通電した時間及びヒータのＯＮ／ＯＦＦの回数が第２の監視情報として記憶され、制御手段は、本体記憶手段及び操作部記憶手段に記憶された第１の監視情報を、体装置の所定の点検でリセットすると共に、本体記憶手段及び操作部記憶手段に記憶された第２の監視情報を、保守対象の部品の点検でリセットすることが可能で、かつ、本体記憶手段及び操作部記憶手段に記憶された第１の耐用情報と第２の耐用情報を、所定の操作により新しい値に書き換え可能であるとし、書き換え後の第１の耐用情報が、書き換え前の第１の耐用情報より短い値に設定され、本体記憶手段及び操作部記憶手段に記憶された第１の耐用情報が、書き換え前より短い値に書き換えられると共に、本体記憶手段の記憶内容が正常であり、操作部記憶手段の記憶内容が新規または破壊されていると、本体記憶手段の記憶内容を操作部記憶手段に記憶し、操作部記憶手段の記憶内容が正常であり、本体記憶手段の記憶内容が新規または破壊されていると、操作部記憶手段の記憶内容を本体記憶手段に記憶することを特徴とする。
【０００８】
本発明の設備機器では、本体装置の点検時期を監視する第１の監視情報が生成され、記憶手段に記憶される。また、本体装置を構成する部品の点検時期を監視する第２の監視情報が生成され、記憶手段に記憶される。
【０００９】
記憶手段に記憶された第１の監視情報は、本体装置の所定の点検でリセットされて更新される。また、記憶手段に記憶された第２の監視情報は、保守対象の部品の点検でリセットされて更新される。
【発明の効果】
【００１０】
本発明の設備機器によれば、本体装置の点検時期及び部品の点検時期を監視する情報が、本体装置や部品の点検に応じて更新されるので、本体装置の点検時期及び部品の点検時期を、ユーザ等に的確に通知できる。
【発明を実施するための最良の形態】
【００１１】
以下、図面を参照して本発明の設備機器の実施の形態としての浴室換気乾燥暖房機について説明する。
【００１２】
＜浴室換気乾燥暖房機の構成例＞
図１は、本実施の形態の浴室換気乾燥暖房機の制御系の一例を示す機能ブロック図、図２は、本実施の形態の浴室換気乾燥暖房機の構成の一例を示す側断面図である。
【００１３】
本実施の形態の浴室換気乾燥暖房機１Ａは、本体装置１０Ａの点検時期及び本体装置１０Ａを構成する保守対象部品の点検時期を認識できるようにする。
【００１４】
まず、図２を参照して、浴室換気乾燥暖房機１Ａの構成の一例について説明する。本実施の形態の浴室換気乾燥暖房機１Ａを構成する本体装置１０Ａは、空気を吸い込んで温風または室温に応じた涼風を吹き出すと共に、吸い込んだ空気を排気するファン部２を備える。
【００１５】
ファン部２は、多翼の羽根車２０と、羽根車２０を回転駆動するファンモータ２１と、風路を形成するファンケース２２を備える。ファン部２は、羽根車２０の軸方向に沿ったファンケース２２の下面に吸込口２２ａを備える。また、ファン部２は、羽根車２０の接線方向に沿った下流側でファンケース２２の下面に吹出口２２ｂを備えるとともに、ファンケース２２の側面に排気口２２ｃを備える。
【００１６】
本体装置１０Ａは、吹出口２２ｂと排気口２２ｃとの間で風路を切り替える風路切替ダンパ２３を備える。風路切替ダンパ２３は、ダンパモータ２４の駆動力が伝達され、吹出口２２ｂと排気口２２ｃの開閉動作を行う。
【００１７】
本体装置１０Ａは、風路切替ダンパ２３の位置を、図２に実線で示すように排気口２２ｃを閉じる循環位置とすると、吹出口２２ｂが開いて、吸込口２２ａから吹出口２２ｂへ連通した循環風路が形成される。
【００１８】
また、本体装置１０Ａは、風路切替ダンパ２３の位置を、図２に一点鎖線で示すように吹出口２２ｂを閉じる換気位置とすると、排気口２２ｃが開いて、吸込口２２ａから排気口２２ｃへ連通した換気風路が形成される。
【００１９】
更に、本体装置１０Ａは、風路切替ダンパ２３の位置を、図２に二点鎖線で示す循環位置と換気位置の間の循環換気位置とすると、吹出口２２ｂと排気口２２ｃの双方が開いて、循環風路と換気風路の双方が形成される。
【００２０】
本体装置１０Ａは、吹出口２２ｂにヒータ２５を備える。ヒータ２５は例えばＰＴＣヒータで構成され、ヒータ２５に通電されると、ヒータ２５が加熱されることで吹出口２２ｂを通る空気が加熱され、吹出口２２ｂから温風が吹き出す。
【００２１】
本体装置１０Ａは、ヒータ２５の上流側にイオン発生器２６を備える。イオン発生器２６はイオン発生手段の一例で、風路切替ダンパ２３を循環位置あるいは循環換気位置とすることで形成される循環風路にイオン放出面が露出する。
【００２２】
イオン発生器２６は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２３】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００２４】
これにより、本体装置１０Ａでファン部２の運転と連動させて略同数の正イオンと負イオンを発生させ、略同数の正イオンと負イオンを含む空気を送風することで、循環する空気に含まれる浮遊細菌と浴室の空気中の浮遊細菌の双方を除去して、カビの発生等を抑えることができる。
【００２５】
本体装置１０Ａは、ファン部２を覆う本体ケース３を備える。本体ケース３は、不燃性材料である金属板等で、ファン部２の上側全体を覆う形状に構成される。また、本体装置１０Ａは、本体ケース３の内側に基板４を備える。
【００２６】
本体装置１０Ａは、本体ケース３の一の側面に、排気口２２ｃとつながるダクトジョイント５が取り付けられる。
【００２７】
本体装置１０Ａは、下面にフロントパネル６が取り付けられる。フロントパネル６は、吸込口２２ａの位置に合わせて吸込口グリル６０ａが形成されると共に、吹出口２２ｂの位置に合わせて吹出口グリル６０ｂが形成される。
【００２８】
浴室換気乾燥暖房機１Ａは、本体装置１０Ａのファンモータ２１に通電されると、ファン部２の羽根車２０が回転する。羽根車２０が回転駆動されると、フロントパネル６の吸込口グリル６０ａを介してファン部２の吸込口２２ａから浴室内の空気が吸い込まれる。
【００２９】
風路切替ダンパ２３の位置が図２に実線で示す循環位置であると、ファン部２において吸込口２２ａから吹出口２２ｂへの循環風路が形成されるので、吸込口２２ａから吸い込まれた空気は、循環風路を通り吹出口２２ｂからフロントパネル６の吹出口グリル６０ｂを介して浴室内に吹き出される。ヒータ２５は吹出口２２ｂに配置されるので、ヒータ２５に通電されることで、循環風路を通る空気が温められて、温風が吹出口グリル６０ｂから吹き出す。
【００３０】
これにより、風路切替ダンパ２３を循環位置として、ファンモータ２１に通電されると、ヒータ２５に通電した場合は、浴室内の空気を循環させながら、浴室内に温風が吹き出される。
【００３１】
ヒータ２５に非通電の場合は、浴室内の空気を循環させながら、室温に応じた涼風が浴室内に吹き出される。また、イオン発生器２６に通電した場合は、浴室内の空気を循環させながら、略同数の正イオンと負イオンを含む空気が吹き出される。
【００３２】
風路切替ダンパ２３の位置が図２に一点鎖線で示す換気位置であると、ファン部２において吸込口２２ａから排気口２２ｃへの換気風路が形成されるので、吸込口２２ａから吸い込まれた空気は、換気風路及び排気口２２ｃを通り、屋外へ排気される。
【００３３】
これにより、風路切替ダンパ２３を換気位置として、ファンモータ２１に通電されると、浴室内の湯気や湿気が排気される。
【００３４】
風路切替ダンパ２３の位置が図２に二点鎖線で示す循環換気位置であると、ファン部２において吸込口２２ａから吹出口２２ｂへの循環風路と、吸込口２２ａから排気口２２ｃへの換気風路の双方が形成されるので、吸込口２２ａから吸い込まれた空気は、一部は循環風路を通り吹出口２２ｂからフロントパネル６の吹出口グリル６０ｂを介して浴室内に吹き出される。また、吸込口２２ａから吸い込まれた空気の残部は、換気風路及び排気口２２ｃを通り、屋外へ排気される。
【００３５】
これにより、風路切替ダンパ２３を循環換気位置として、ファンモータ２１に通電されると、ヒータ２５に非通電の場合は、浴室内の空気を循環させながら、浴室内の湯気や湿気が排気される。
【００３６】
また、イオン発生器２６に通電した場合は、略同数の正イオンと負イオンを含む空気を循環させながら、浴室内の湯気や湿気が排気される。
【００３７】
一方、ヒータ２５に通電した場合は、浴室内の空気を循環させて浴室内に温風を吹き出しながら、浴室内の湯気や湿気が排気される。
【００３８】
なお、浴室換気乾燥暖房機１Ａの本体装置１０Ａとしては、循環ファンと換気ファンを備えて循環風路と換気風路が独立した構成等でも良い。
【００３９】
次に、図１を参照して、本実施の形態の浴室換気乾燥暖房機１Ａの制御系の構成の一例について説明する。浴室換気乾燥暖房機１Ａは、本体装置１０Ａに操作装置７が接続され、操作装置７での操作に応じて本体装置１０Ａが制御される。
【００４０】
本体装置１０Ａは、図２で説明したファンモータ２１と、ダンパモータ２４と、ヒータ２５等を制御する本体制御部８０を備える。本体制御部８０は本体制御手段の一例で、図示しないＣＰＵやメモリ等を備え、操作装置７での操作と、予め記憶されているプログラムに従って、本体装置１０Ａの運転制御を行う。
【００４１】
例えば、本体制御部８０は、操作装置７での所定の操作に従って本体装置１０Ａを制御し、浴室の暖房を行う暖房運転モードと、浴室の換気を行う換気運転モードと、浴室及び浴室内に干した衣類等の乾燥を行う乾燥運転モードと、入浴者等に対して送風を行う涼風運転モードと、浴室内にイオンを供給するイオン発生運転モード等を選択的に実行する。
【００４２】
暖房運転モードでは、風路切替ダンパ２３を循環位置として、ファンモータ２１に通電すると共にヒータ２５に通電することで、浴室内の空気を循環させながら、浴室内に温風が吹き出される。
【００４３】
換気運転モードでは、風路切替ダンパ２３を換気位置として、ファンモータ２１に通電することで、浴室内の湯気や湿気が屋外へ排気される。
【００４４】
乾燥運転モードでは、風路切替ダンパ２３を循環換気位置として、ファンモータ２１に通電すると共にヒータ２５に通電することで、浴室内の空気を循環させながら、浴室内に温風が吹き出される。また、浴室内の湯気や湿気が屋外へ排気される。
【００４５】
涼風運転モードでは、風路切替ダンパ２３を循環位置として、ファンモータ２１に通電することで、浴室内の空気を循環させながら、室温に応じた空気が浴室内に吹き出される。なお、涼風運転モードでは、風路切替ダンパ２３を循環換気位置としても良い。
【００４６】
イオン発生運転モードでは、風路切替ダンパ２３を循環換気位置として、ファンモータ２１に通電すると共にイオン発生器２６に通電することで、浴室内の空気を循環させながら、略同数の正イオンと負イオンを含む空気が浴室内に吹き出される。また、浴室内の湯気や湿気が屋外へ排気される。なお、イオン発生運転モードでは、風路切替ダンパ２３を循環位置としても良い。
【００４７】
また、本体制御部８０は、本体装置１０Ａ全体の点検時期、及びファンモータ２１やヒータ２５等、保守の対象となる各部品の点検時期を監視し、点検時期になったことを通知する監視制御を行う。
【００４８】
本体制御部８０は、本体装置１０Ａの点検時期を監視する第１の計時部８１ａと、各部品の点検時期を監視する第２の計時部８１ｂを備える。第１の計時部８１ａは第１の監視手段の一例で、実運転時間／回数情報ＤＡとして、本体装置１０Ａの点検時期を監視する第１の監視情報を生成する。
【００４９】
本体装置１０Ａの点検時期を監視する第１の監視情報としては、本体装置１０Ａの電源が投入されてからの時間、または、本体装置１０Ａが製造されてからの時間等が用いられる。以下の説明では、第１の監視情報を第１の積算時間ＴＡ１と称す。
【００５０】
例えば、本体制御部８０は、本体装置１０Ａの電源が投入されてからの時間の経過を第１の計時部８１ａで計時して、本体装置１０Ａに通電した時間の積算値を算出する。または、本体制御部８０は、予め記憶された製造基準日からの時間の経過を第１の計時部８１ａで計時して、本体装置１０Ａが製造されてからの時間の積算値を算出する。なお、製造基準日としては、本体装置１０Ａの製造年と製造月の情報を記憶すると良い。
【００５１】
あるいは、本体装置１０Ａの設置後に、施工者等の操作で設定された運転開始基準日からの時間の経過を第１の計時部８１ａで計時して、本体装置１０Ａが運転を開始してからの時間の積算値を算出しても良い。
【００５２】
第２の計時部８１ｂは第２の監視手段の一例で、実運転時間／回数情報ＤＡとして、保守対象となる各部品の点検時期を監視する第２の監視情報を生成する。本実施の形態の浴室換気乾燥暖房機１Ａでは、ファンモータ２１とヒータ２５が保守対象の部品として定められている。そして、保守対象の部品の点検時期を監視する第２の監視情報としては、ファンモータ２１に通電した時間と、ヒータ２５に通電した時間と、ヒータ２５のＯＮ／ＯＦＦの回数等が用いられる。以下の説明では、第２の監視情報を第２の積算時間ＴＡ２と称す。
【００５３】
例えば、本体制御部８０は、ファンモータ２１に通電した時間を第２の計時部８１ｂで計時して、ファンモータ２１に通電した時間の積算値を算出する。また、本体制御部８０は、ヒータ２５に通電した時間を第２の計時部８１ｂで計時して、ヒータ２５に通電した時間の積算値を算出する。更に、本体制御部８０は、ヒータ２５に通電した回数を第２の計時部８１ｂで計時して、ヒータ２５に通電した回数の積算値を算出する。
【００５４】
なお、第２の積算時間ＴＡ２としては、各運転モードでの運転時間を用いても良い。例えば、第２の積算時間ＴＡ２として、暖房運転モードでの運転時間である暖房運転時間と、換気運転モードでの運転時間である換気運転時間と、乾燥運転モードでの運転時間である乾燥運転時間と、涼風運転モードでの運転時間である涼風運転時間と、イオン発生運転モードでの運転時間であるイオン発生運転時間を用いても良い。また、他の運転モードとして、２４時間換気運転モードを備えている構成では、２４時間換気運転モードでの運転時間である２４時間換気運転時間を第２の積算時間ＴＡ２として用いても良い。更に、図示しないミスト発生装置と連動する構成では、ミスト運転モードでの運転時間であるミスト運転時間を第２の積算時間ＴＡ２として用いても良い。
【００５５】
本体装置１０Ａは、実運転時間／回数情報ＤＡ等を記憶する本体記憶部８２を備える。本体記憶部８２は本体記憶手段の一例で、実運転時間／回数情報ＤＡとして、第１の計時部８１ａで計時された第１の積算時間ＴＡ１と、第２の計時部８１ｂで計時された第２の積算時間ＴＡ２が記憶される。また、本体装置１０Ａの点検時期及び保守対象の部品の点検時期を決定する耐用運転時間／耐用回数情報ＤＢが記憶される。
【００５６】
図３は、記憶部の記憶内容の一例を示す説明図である。本体記憶部８２は、実際の運転に伴う実運転時間／回数情報ＤＡとして、第１の積算時間ＴＡ１と第２の積算時間ＴＡ２が記憶される。第１の積算時間ＴＡ１としては、例えば、本体装置１０Ａの電源が投入されてからの積算時間が記憶される。第２の積算時間ＴＡ２としては、ファンモータ２１の通電時間と、ヒータ２５の通電時間と、ヒータ２５のＯＮ／ＯＦＦ回数が記憶される。
【００５７】
また、第２の積算時間ＴＡ２として、暖房運転時間と換気運転時間と２４時間換気運転時間と乾燥運転時間と涼風運転時間が記憶されても良い。更に、イオン発生器２６を備えてイオン発生運転モードが実行される構成では、イオン発生運転時間が記憶されても良い。また、図示しないミスト発生装置と連動する構成では、ミスト運転時間が記憶されても良い。
【００５８】
本体記憶部８２は、予め設定される耐用運転時間／耐用回数情報ＤＢとして、第１の積算時間ＴＡ１に対応した第１の耐用時間ＴＢ１と、第２の積算時間ＴＡ２に対応した第２の耐用時間ＴＢ２が記憶される。第１の耐用時間ＴＢ１は第１の耐用情報の一例で、例えば、本体装置１０Ａの電源が投入されてからの耐用時間が記憶される。また、第２の耐用時間ＴＢ２は第２の耐用情報の一例で、ファンモータ２１の耐用通電時間と、ヒータ２５の耐用通電時間と、ヒータ２５の耐用ＯＮ／ＯＦＦ回数が記憶される。
【００５９】
また、第２の耐用時間ＴＢ２として、暖房運転耐用時間と換気運転耐用時間と２４時間換気運転耐用時間と乾燥運転耐用時間と涼風運転耐用時間が記憶されても良い。更に、イオン発生器２６を備えてイオン発生運転モードが実行される構成では、イオン発生運転耐用時間が記憶されても良い。また、図示しないミスト発生装置と連動する構成では、ミスト運転耐用時間が記憶されても良い。
【００６０】
本体制御部８０は、本体記憶部８２に記憶された第１の積算時間ＴＡ１を、本体装置１０Ａの所定の点検でリセットする。本例では、予め定められている全ての保守対象部品の点検が行われ、点検に応じて必要な部品の修理及び部品の交換が行われた場合に、第１の積算時間ＴＡ１がリセットされる。また、第１の耐用時間ＴＢ１が新しい値に書き換えられる。
【００６１】
本体制御部８０は、本体記憶部８２に記憶された第２の積算時間ＴＡ２を、部品の点検でリセットする。本例では、保守対象の個々の部品を必要に応じて点検した結果、耐用時間を延長しても良いと判断した場合、点検に応じた修理で耐用時間を延長しても良いと判断した場合、及び部品を交換した場合に、第２の積算時間ＴＡ２がリセットされる。また、第２の耐用時間ＴＢ２が必要に応じて書き換えられる。
【００６２】
操作装置７は、運転モードの選択等の操作が行われる入力部７０と、時間表示等を行う数字表示部及び選択された運転モードを示すランプ等を備えた出力部７１を備える。また、操作装置７は、上述した実運転時間／回数情報ＤＡと耐用運転時間／耐用回数情報ＤＢ等を記憶する操作装置記憶部７２と、操作装置記憶部７２に対する情報の読み取り及び書き込みを行う操作装置制御部７３と、操作装置記憶部７２に記憶された情報の通信を行う通信部７４を備える。
【００６３】
操作装置記憶部７２は操作部記憶手段の一例で、図３で説明した本体記憶部８２と同じ情報が記憶される。すなわち、操作装置記憶部７２は、実際の運転に伴う実運転時間／回数情報ＤＡとして、第１の積算時間ＴＡ１と第２の積算時間ＴＡ２が記憶される。第１の積算時間ＴＡ１としては、例えば、本体装置１０Ａの電源が投入されてからの積算時間が記憶される。第２の積算時間ＴＡ２としては、ファンモータ２１の通電時間と、ヒータ２５の通電時間と、ヒータ２５のＯＮ／ＯＦＦ回数が記憶される。
【００６４】
また、第２の積算時間ＴＡ２として、暖房運転時間と換気運転時間と２４時間換気運転時間と乾燥運転時間と涼風運転時間が記憶されても良い。更に、本体装置１０Ａにイオン発生器２６を備えてイオン発生運転モードが実行される構成では、イオン発生運転時間が記憶されても良い。また、図示しないミスト発生装置と連動する構成では、ミスト運転時間が記憶されても良い。
【００６５】
操作装置記憶部７２は、耐用運転時間／耐用回数情報ＤＢとして、第１の積算時間ＴＡ１に対応した第１の耐用時間ＴＢ１と、第２の積算時間ＴＡ２に対応した第２の耐用時間ＴＢ２が記憶される。第１の耐用時間ＴＢ１としては、例えば、本体装置１０Ａの電源が投入されてからの耐用時間が記憶される。また、第２の耐用時間ＴＢ２として、ファンモータ２１の耐用通電時間と、ヒータ２５の耐用通電時間と、ヒータ２５の耐用ＯＮ／ＯＦＦ回数が記憶される。
【００６６】
また、第２の耐用時間ＴＢ２として、暖房運転耐用時間と換気運転耐用時間と２４時間換気運転耐用時間と乾燥運転耐用時間と涼風運転耐用時間が記憶されても良い。更に、本体装置１０Ａにイオン発生器２６を備えてイオン発生運転モードが実行される構成では、イオン発生運転耐用時間が記憶されても良い。また、図示しないミスト発生装置と連動する構成では、ミスト運転耐用時間が記憶されても良い。
【００６７】
操作装置制御部７３は操作部制御手段の一例で、入力部７０での操作内容を本体装置１０Ａの本体制御部８０に送信すると共に、出力部７１の表示制御を行う。また、操作装置記憶部７２の更新制御を行う。
【００６８】
操作装置制御部７３は、本体装置１０Ａの本体記憶部８２に記憶された実運転時間／回数情報ＤＡと耐用運転時間／耐用回数情報ＤＢを本体制御部８０で比較して、第１の積算時間ＴＡ１が第１の耐用時間ＴＢ１に対して所定の関係になった場合、または、第２の積算時間ＴＡ２が第２の耐用時間ＴＢ２に対して所定の関係になった場合に、出力部７１に点検要請情報を表示する。
【００６９】
本体制御部８０は、本体装置１０Ａの点検時期に関しては、第１の積算時間ＴＡ１が第１の耐用時間ＴＢ１に達する前に、点検要請情報を出力する。例えば、第１の耐用時間ＴＢ１として、本体装置１０Ａの電源が投入されてからの耐用時間が１０年と設定されている場合、第１の積算時間ＴＡ１が１０年より前の例えば８年になると、第１の表示形態で点検要請情報を表示する。本体装置１０Ａの所定の点検が行なわれずに、第１の積算時間ＴＡ１が１０年より前の例えば９年になると、第２の表示形態で点検要請情報を表示する。本体装置１０Ａの所定の点検が行なわれずに、第１の積算時間ＴＡ１が１０年になると、第３の表示形態で点検要請情報を表示する。
【００７０】
第１の表示形態では、例えば、出力部７１の図示しない所定のＬＥＤを所定時間点灯させて消灯した後、１ヶ月おきに再度点灯表示を行う。第２の表示形態では、出力部７１の所定のＬＥＤを所定時間点灯させて消灯した後、半月おきに再度点灯表示を行う。第３の表示形態では、出力部７１の所定のＬＥＤを所定時間点灯させて消灯した後、１日おきに再度点灯表示を行う。
【００７１】
このように、第１の積算時間ＴＡ１が第１の耐用時間ＴＢ１に到達する前に、１回または複数回の点検要請通知時期を設定しておき、点検要請通知時期毎で段階的に表示形態を異ならせることで、利用者に本体装置１０Ａ全体の点検時期が近づいたこと、及び点検時期になったことを確実に通知することができる。
【００７２】
本体制御部８０は、保守対象の部品の点検時期に関しては、第２の積算時間ＴＡ２が第２の耐用時間ＴＢ２に達すると、点検要請情報を出力する。例えば、第２の耐用時間ＴＢ２として、ファンモータ２１の耐用通電時間がＮ年と設定されている場合、ファンモータ２１に対応する第２の積算時間ＴＡ２がＮ年になると、所定の表示形態で点検要請情報を表示する。他の保守対象部品についても同様の制御がおこなわれる。なお、点検要請情報の出力は、ＬＥＤによる表示出力以外に、ＬＣＤを用いた表示出力や、ブザー等を用いた音による出力でも良く、報知手段はこれに限られるものではない。
【００７３】
操作装置制御部７３は、操作装置７全体、または、操作装置記憶部７２を含む基板が交換された場合に、交換されていない本体装置１０Ａの本体記憶部８２に記憶されている実運転時間／回数情報ＤＡと耐用運転時間／耐用回数情報ＤＢをコピーして、操作装置記憶部７２に記憶する。
【００７４】
同様に、本体制御部８０は、本体記憶部８２を含む基板等が交換された場合に、交換されていない操作装置７の操作装置記憶部７２に記憶されている実運転時間／回数情報ＤＡと耐用運転時間／耐用回数情報ＤＢをコピーして、本体記憶部８２に記憶する。
【００７５】
本体制御部８０は、本体記憶部８２に記憶されている実運転時間／回数情報ＤＡ及び耐用運転時間／耐用回数情報ＤＢと、操作装置記憶部７２に記憶されている実運転時間／回数情報ＤＡ及び耐用運転時間／耐用回数情報ＤＢを比較して、例えば、チェックサムの値が初期化されている側の記憶部に対して、もう一方の記憶部の情報を書き込むことで、記憶部の整合性を保つ。これにより、実運転時間／回数情報ＤＡと耐用運転時間／耐用回数情報ＤＢの消滅を防ぐと共に、情報の移し変えが容易に行なえるようにする。なお、実運転時間／回数情報ＤＡと耐用運転時間／耐用回数情報ＤＢを記憶する記憶部は、本体装置１０Ａと操作装置７のどちらか一方にのみ備える構成でも良い。
【００７６】
通信部７４は通信手段の一例で、例えば発光素子を備えて赤外線通信等を行う光通信機能で実現される。操作装置制御部７３は、操作装置記憶部７２に記憶された実運転時間／回数情報ＤＡを読み出して、通信部７４により外部装置に送信する。
【００７７】
外部端末装置としては、例えば携帯電話機１００が用いられる。携帯電話機１００には赤外線通信機能が備えられているので、操作装置７との間で実運転時間／回数情報ＤＡの送受を行う構成が容易に実現可能である。そして、携帯電話機１００に送信された実運転時間／回数情報ＤＡは、携帯電話機の通信機能を利用して、製造事業者等の管理センタ１０１に送られ、データベース化される。
【００７８】
一般に、浴室換気乾燥暖房機１Ａの操作装置７では、時間表示等のために４桁程度の数字情報を表示できるＬＥＤを備えた構成になっているが、実運転時間／回数情報ＤＡを表示した場合に、確認が難しい場合がある。そのため、携帯電話機１００の通信機能を利用して、浴室換気乾燥暖房機１Ａで取得した実運転時間／回数情報ＤＡを管理センタ１０１に送信することで、情報の確認が容易に行なえるようになり、点検の指示を的確に行うことが可能になる。また、情報のデータベース化が可能である。
【００７９】
＜浴室換気乾燥暖房機の動作例＞
次に、各図を参照して本実施の形態の浴室換気乾燥暖房機１Ａの動作例について説明する。
【００８０】
浴室換気乾燥暖房機１Ａの工場出荷時等に、耐用運転時間／耐用回数情報ＤＢとして、上述した第１の耐用時間ＴＢ１と第２の耐用時間ＴＢ２が本体記憶部８２に記憶される。操作装置記憶部７２を備えた構成では、操作装置記憶部７２に同様の情報が記憶される。
【００８１】
浴室換気乾燥暖房機１Ａの本体装置１０Ａが浴室に設置され、操作装置７が洗面脱衣所等に設置されて、施工業者等により電源が投入されると、本体制御部８０は、第１の積算時間ＴＡ１を計時して本体装置１０Ａの点検時期を監視する。本例では、本体装置１０Ａの電源が投入されてからの積算時間を第１の計時部８１ａで計時して、第１の積算時間ＴＡ１を本体記憶部８２に定期的に記憶する。操作装置記憶部７２を備えた構成では、操作装置記憶部７２に同様に第１の積算時間ＴＡ１を記憶する。
【００８２】
ユーザが操作装置７を操作して、所望の運転モードが選択されると、本体制御部８０は、選択された運転モードに従ってファンモータ２１とヒータ２５等を制御する。
【００８３】
例えば、暖房運転モードでは、ダンパモータ２４を駆動して風路切替ダンパ２３を循環位置とし、ファンモータ２１に通電すると共にヒータ２５に通電する。本体制御部８０は、浴室換気乾燥暖房機１Ａの運転が行われると、第２の積算時間ＴＡ２を計時して保守対象部品の点検時期を監視する。
【００８４】
本例では、ファンモータ２１に通電すると、ファンモータ２１に通電した積算時間を第２の計時部８１ｂで計時して、第２の積算時間ＴＡ２を本体記憶部８２に定期的に記憶する。また、ヒータ２５に通電すると、ヒータ２５に通電した積算時間を第２の計時部８１ｂで計時して、第２の積算時間ＴＡ２を本体記憶部８２に定期的に記憶する。更に、ヒータ２５のＯＮ／ＯＦＦ回数を第２の計時部８１ｂで計時して、第２の積算時間ＴＡ２を本体記憶部８２に定期的に記憶する。また、暖房運転時間を第２の計時部８１ｂで計時して、第２の積算時間ＴＡ２を本体記憶部８２に定期的に記憶する。操作装置記憶部７２を備えた構成では、操作装置記憶部７２に同様に第２の積算時間ＴＡ２を記憶する。
【００８５】
なお、本体制御部８０は、他の運転モードでも、保守対象部品の通電に応じて第２の積算時間ＴＡ２を第２の計時部８１ｂで計時して、本体記憶部８２に記憶する。
【００８６】
本体制御部８０は、本体記憶部８２に記憶された第１の積算時間ＴＡ１及び浴室換気乾燥暖房機１Ａの運転に伴う第２の積算時間ＴＡ２による実運転時間／回数情報ＤＡと、予め本体記憶部８２に記憶された第１の耐用時間ＴＢ１及び第２の耐用時間ＴＢ２による耐用運転時間／耐用回数情報ＤＢを定期的に比較し、本体装置１０Ａ及び保守対象の部品が点検時期に到達したか監視する。
【００８７】
本体制御部８０は、本体装置１０Ａの点検時期に関しては、上述したように、第１の耐用時間ＴＢ１より前に、本例では複数回の点検要請通知時期が設定され、第１の積算時間ＴＡ１が第１の耐用時間ＴＢ１に達する前に、点検要請情報を出力する。
【００８８】
例えば、第１の耐用時間ＴＢ１として、本体装置１０Ａの電源が投入されてからの耐用時間が１０年と設定されている場合、１回目の点検要請通知時期が８年に設定され、２回目の点検要請通知時期が９年に設定される。
【００８９】
本体記憶部８２に記憶された第１の積算時間ＴＡ１が、１回目の点検要請通知時期である８年になると、本体制御部８０は、第１の表示形態で点検要請情報を出力する指示を操作装置制御部７３に送信する。操作装置制御部７３は、本体制御部８０からの指示を受けて、出力部７１に上述した第１の表示形態で点検要請情報を表示する。
【００９０】
１回目の点検要請通知時期に本体装置１０Ａの所定の点検が行なわれない場合、本体記憶部８２に記憶された第１の積算時間ＴＡ１はリセットされず、積算が続く。本体記憶部８２に記憶された第１の積算時間ＴＡ１が、２回目の点検要請通知時期である９年になると、本体制御部８０は、第２の表示形態で点検要請情報を出力する指示を操作装置制御部７３に送信する。操作装置制御部７３は、本体制御部８０からの指示を受けて、出力部７１に上述した第２の表示形態で点検要請情報を表示する。
【００９１】
２回目の点検要請通知時期に本体装置１０Ａの所定の点検が行なわれない場合、本体記憶部８２に記憶された第１の積算時間ＴＡ１はリセットされず、積算が続く。本体記憶部８２に記憶された第１の積算時間ＴＡ１が、３回目の点検要請通知時期、ここでは本来設定されている点検時期である１０年になると、本体制御部８０は、第３の表示形態で点検要請情報を出力する指示を操作装置制御部７３に送信する。操作装置制御部７３は、本体制御部８０からの指示を受けて、出力部７１に上述した第３の表示形態で点検要請情報を表示する。
【００９２】
点検要請情報として、例えばＬＥＤの点灯を利用する場合、複数回の点検要請通知時期で、本来設定されている点検時期に近づくにつれて点灯の間隔を例えば１ヶ月おき、半月おき、１日おきと早めて行って、点検要請情報の表示形態を異ならせることで、本体装置１０Ａの点検時期が近づいたことを確実に通知できる。
【００９３】
なお、第１の積算時間ＴＡ１が第１の耐用時間ＴＢ１に達した後、本体装置１０Ａの所定の点検が行なわれない場合、本体記憶部８２に記憶された第１の積算時間ＴＡ１はリセットされず、積算が続く。そして、所定の間隔、例えば、１日おきに点検要請情報を表示する。
【００９４】
ユーザは、点検要請情報を確認すると、製造事業者等の保守担当業者に連絡をする。保守担当業者は、操作装置７の出力部７１に表示された点検要請情報を確認し、必要な点検を行う。
【００９５】
操作装置７の出力部７１に表示される点検要請情報の表示形態で、点検対象が特定できるようにすることで、浴室換気乾燥暖房機１Ａの設置場所で点検対象の特定や交換修理の判断が行える。また、装置の使用を開始してから、耐用時間が経過したこと等をユーザに数値を示して説明できる。
【００９６】
また、操作装置７等に専用の治具を接続できるようにして、点検要請情報の内容を治具で確認できるようにしても良い。更に、上述したように、操作装置７の通信部７４と携帯電話機１００の通信機能を利用して、浴室換気乾燥暖房機１Ａで取得した実運転時間／回数情報ＤＡ等を管理センタ１０１に送信することとしても良い。実運転時間／回数情報ＤＡ等を管理センタ１０１に送信することで、修理情報のデータベースへの格納が可能である。また、本体装置１０Ａの詳細な情報が管理センタ１０１に送信されることで、専門技術者が修理箇所の特定や修理内容を判断でき、現場での点検の指示を的確に行うことが可能になる。
【００９７】
本体制御部８０は、本体装置１０Ａで予め定められている全ての保守対象部品の点検が行われ、点検に応じて必要な部品の修理及び部品の交換が行われた場合に、本体記憶部８２に記憶された第１の積算時間ＴＡ１を所定の操作でリセットする。また、第１の耐用時間ＴＢ１を新しい値に書き換える。操作装置記憶部７２を備えた構成では、操作装置記憶部７２に記憶された第１の積算時間ＴＡ１をリセットし、第１の耐用時間ＴＢ１を新しい値に書き換える。更新後の第１の耐用時間ＴＢ１は、更新前の第１の耐用時間ＴＢ１より通常は短い値に設定される。例えば、点検前に、第１の耐用時間ＴＢ１が１０年と設定されている場合、点検後に更新される第１の耐用時間ＴＢ１は、例えば１年〜３年程度に設定されるようにすると良い。
【００９８】
本体制御部８０は、保守対象の部品の点検時期に関しては、上述したように、第２の耐用時間ＴＢ２が点検要請通知時期として設定され、第２の積算時間ＴＡ２が第２の耐用時間ＴＢ２に達すると、点検要請情報を出力する。
【００９９】
第２の積算時間ＴＡ２及び第２の耐用時間ＴＢ２が、ファンモータ２１やヒータ２５等の部品単位で設定されている場合は、第２の積算時間ＴＡ２が第２の耐用時間ＴＢ２に達すると、点検要請情報の表示形態で耐用時間となった部品を特定できるようにして、該当する部品の点検が行なえるようにする。
【０１００】
一方、第２の積算時間ＴＡ２及び第２の耐用時間ＴＢ２が、各運転モードでの運転時間で設定されている場合は、運転モード毎に保守対象の部品が設定され、第２の積算時間ＴＡ２が第２の耐用時間ＴＢ２に達すると、点検要請情報の表示形態で耐用時間となった運転モードを特定できるようにして、該当する部品の点検が行なえるようにする。
【０１０１】
ユーザは、点検要請情報を確認すると、製造事業者等の保守担当業者に連絡をする。保守担当業者は、操作装置７の出力部７１に表示された点検要請情報を確認し、必要な点検を行う。
【０１０２】
本体制御部８０は、耐用時間に到達した保守対象の部品の点検が行われ、点検の結果、耐用時間を延長しても良いと判断した場合、点検に応じた修理で耐用時間を延長しても良いと判断した場合、及び部品を交換した場合に、本体記憶部８２に記憶された第２の積算時間ＴＡ２を所定の操作でリセットする。また、第２の耐用時間ＴＢ２を必要に応じて新しい値に書き換える。操作装置記憶部７２を備えた構成では、操作装置記憶部７２に記憶された第２の積算時間ＴＡ２をリセットし、第２の耐用時間ＴＢ２を必要に応じて新しい値に書き換える。なお、更新前と更新後の第２の耐用時間ＴＢ２は、異なった値でも良いが、部品を交換した場合等は、通常同じ値となる。
【０１０３】
これにより、予め設定されている部品の寿命が来る前に、部品の交換等の点検が行なえるので、実際に部品が故障する前に点検が行なえる。また、修理情報のデータベースが構築できることで、ユーザ毎の使用状況や使用頻度等による実寿命を求めることも可能となる。
【０１０４】
図４は、暖房運転時の動作の詳細を示すフローチャートであり、次に、各運転モードの一例として、暖房運転モードにおけるヒータの点検時期を監視する動作の詳細について説明する。
【０１０５】
操作装置７で暖房運転ボタンが押されると、本体制御部８０は、ステップＳＡ１で、ファンモータ２１への通電時間の監視を開始する。本体制御部８０は、ステップＳＡ２で、ファンモータ２１への通電を開始すると、ファンモータ２１に通電した時間を第２の計時部８１ｂで計時して積算する。
【０１０６】
本体制御部８０は、ステップＳＡ３で、ヒータ２５への通電時間の監視を開始する。本体制御部８０は、ステップＳＡ４で、ヒータ２５への通電を開始すると、ヒータ２５に通電した時間を第２の計時部８１ｂで計時して積算する。
【０１０７】
本体制御部８０は、ヒータ２５への通電を開始すると、ステップＳＡ５で、本体記憶部８２に記憶されたヒータＯＮ回数を更新する。本体制御部８０は、ステップＳＡ６で、本体記憶部８２に記憶されたヒータＯＮ回数と、ヒータ耐用ＯＮ回数を比較し、ヒータ２５が点検時期に到達したか監視する。ヒータＯＮ回数がヒータ耐用ＯＮ回数に達した場合は、ステップＳＡ７で、本体制御部８０は点検要請情報を出力する。一方、ヒータＯＮ回数がヒータ耐用ＯＮ回数を超えていない場合は、監視を続ける。
【０１０８】
図５は、モータの点検時期を監視する動作の詳細を示すフローチャートである。本体制御部８０は、各運転モードでファンモータ２１への通電を開始すると、ステップＳＢ１で、モータ通電時間Ｍ_timeを加算して行く。本体制御部８０は、ステップＳＢ２で、モータ通電時間Ｍ_timeが所定の更新時間、本例では６０分経過したか判断する。
【０１０９】
本体制御部８０は、モータ通電時間Ｍ_timeが所定の更新時間を経過したと判断すると、ステップＳＢ３で、本体記憶部８２から第２の積算時間ＴＡ２であるモータ総通電時間Total_Ｍ_timeを読み出し、ステップＳＢ４で、モータ総通電時間Total_Ｍ_timeを加算して、ステップＳＢ５で、本体記憶部８２に記憶されたモータ総通電時間Total_Ｍ_timeを更新する。
【０１１０】
本体制御部８０は、ステップＳＢ６で、本体記憶部８２に記憶されたモータ総通電時間Total_Ｍ_timeと、モータ耐用通電時間を比較し、ファンモータ２１が点検時期に到達したか監視する。モータ総通電時間Total_Ｍ_timeがモータ耐用通電時間に達した場合は、ステップＳＢ７で、本体制御部８０は点検要請情報を出力する。一方、モータ総通電時間Total_Ｍ_timeがモータ耐用通電時間を超えていない場合は、監視を続ける。
【０１１１】
図６は、本体装置と操作装置で記憶部の内容を継承する動作の詳細を示すフローチャートである。ステップＳＣ１で、操作装置制御部７３は、チェックサムを監視する等により操作装置記憶部７２の記憶内容をチェックし、ステップＳＣ２で、操作装置記憶部７２の記憶内容が新規または破壊されているか判断する。
【０１１２】
操作装置記憶部７２の記憶内容が新規または破壊されていると判断すると、ステップＳＣ３で、本体制御部８０は、本体記憶部８２の記憶内容をチェックし、ステップＳＣ４で、本体記憶部８２の記憶内容が新規または破壊されているか判断する。
【０１１３】
本体記憶部８２の記憶内容が正常であると判断すると、ステップＳＣ５で、本体制御部８０は、本体記憶部８２の記憶内容、本例では実運転時間／回数情報ＤＡと耐用運転時間／耐用回数情報ＤＢをコピーして、操作装置記憶部７２に記憶する。なお、ステップＳＣ４で、本体記憶部８２の記憶内容が新規または破壊されていると判断すると、ステップＳＣ６で、本体記憶部８２と操作装置記憶部７２の両方を初期化する。
【０１１４】
上述したステップＳＣ２で、操作装置記憶部７２の記憶内容が正常であると判断すると、ステップＳＣ７で、本体制御部８０は、本体記憶部８２の記憶内容をチェックし、ステップＳＣ８で、本体記憶部８２の記憶内容が新規または破壊されているか判断する。
【０１１５】
本体記憶部８２の記憶内容が新規または破壊されていると判断すると、ステップＳＣ９で、本体制御部８０は、操作装置記憶部７２の記憶内容、本例では実運転時間／回数情報ＤＡと耐用運転時間／耐用回数情報ＤＢをコピーして、本体記憶部８２に記憶する。
【０１１６】
これにより、本体装置１０Ａまたは操作装置７の修理等で、記憶部が実装された基板等が交換された場合に、どちらか一方の記憶部が正常であれば、本体装置１０Ａや保守対象の部品の点検時期を監視するために必要な実運転時間／回数情報ＤＡと耐用運転時間／耐用回数情報ＤＢが消滅することを防止できる。
【０１１７】
＜本実施の形態の浴室換気乾燥暖房機の変形例＞
上述した実施の形態では、保守対象の部品の耐用時間や耐用使用回数は、運転モードによらず一定とした。これに対して、運転モード毎に耐用時間や耐用使用回数を設定しても良い。
【０１１８】
例えば、第２の耐用時間ＴＢ２として、ファンモータ２１の耐用通電時間は、暖房運転モードと、換気運転モードと、２４時間換気運転モードと、乾燥運転モード等でそれぞれ設定する。運転モードに応じて風量を異ならせるため、ファンモータ２１の回転数が異なる。このため、風量の少ない２４時間換気運転モードと、風量の多い乾燥運転モードでは、ファンモータ２１に掛かる負荷が異なる。そこで、軽負荷の運転モードと重負荷の運転モードでは耐用通電時間を異ならせる。
【０１１９】
図７は、運転モード毎に異ならせた耐用時間の一例を示す積算時間テーブルである。本例では、運転モードとして、換気運転モードと、乾燥運転モードと、暖房運転モードと、涼風運転モードと、２４時間換気運転モードが選択可能な構成を例に説明する。
【０１２０】
図１で説明した本体記憶部８２には、運転モード毎に設定寿命定数が記憶される。設定寿命定数は、軽負荷の運転モードでは値が大きく、重負荷の運転モードでは値が小さく設定され、軽負荷の運転モードでは耐用通電時間が長く、重負荷の運転モードでは耐用通電時間が短くなるように設定される。例えば、軽負荷の２４時間換気運転モードでは、設定寿命定数は１００に設定され、重負荷の乾燥運転モードでは、設定寿命定数は７０に設定される。すなわち、軽負荷の２４時間換気運転モードでの耐用通電時間を１００（%）とすると、重負荷の乾燥運転モードでの耐用通電時間は７０（%）となるように、ファンモータ２１の点検時期を監視する第２の積算時間ＴＡ２を計算する。
【０１２１】
ファンモータ２１の点検時期を監視する第２の積算時間ＴＡ２としての通電時間は、運転モード毎に積算されて記憶される。そして、運転モード毎の通電時間を、設定寿命定数に応じて積算して、耐用通電時間と比較する。ファンモータ２１の通電時間が耐用通電時間に到達している場合は、上述したよう、点検要請情報を出力する。
【０１２２】
なお、ファンモータ２１の点検時期の監視は、ファンモータ２１の回転数、軸受け温度、電流値等を検知して、初期設定値との比較によって行っても良い。また、ヒータ２５の点検時期の監視は、ヒータ２５の温度、抵抗値、電流値等を検知して、初期設定値との比較によって行っても良い。
【０１２３】
浴室換気乾燥暖房機１Ａにおける保守対象の部品としては、ファンモータ２１とヒータ２５以外に、他のモータや、スイッチを構成するリレー等を含めても良い。
【０１２４】
設備機器としては、浴室換気乾燥暖房機等の空調装置以外に、ファンを駆動するモータを備えた換気扇や熱交換換気装置、破砕刃を駆動するモータを備えたディスポーザ、ヒータを備えた床暖房機等が含まれる。
【産業上の利用可能性】
【０１２５】
本発明は、住宅に設置される浴室換気乾燥暖房機等の空調装置、換気扇、熱交換換気装置、ディスポーザ、床暖房機等の設備機器に適用される。
【図面の簡単な説明】
【０１２６】
【図１】本実施の形態の浴室換気乾燥暖房機の制御系の一例を示す機能ブロック図である。
【図２】本実施の形態の浴室換気乾燥暖房機の構成の一例を示す側断面図である。
【図３】記憶部の記憶内容の一例を示す説明図である。
【図４】暖房運転時の動作の詳細を示すフローチャートである。
【図５】モータの点検時期を監視する動作の詳細を示すフローチャートである。
【図６】本体装置と操作装置で記憶部の内容を継承する動作の詳細を示すフローチャートである。
【図７】運転モード毎に異ならせた耐用時間の一例を示す積算時間テーブルである。
【符号の説明】
【０１２７】
１Ａ・・・浴室換気乾燥暖房機、１０Ａ・・・本体装置、２１・・・ファンモータ、２５・・・ヒータ、７・・・操作装置、７２・・・操作装置記憶部、７３・・・操作装置制御部、７４・・・通信部、８０・・・本体制御部、８１ａ・・・第１の計時部、８１ｂ・・・第２の計時部、８２・・・本体記憶部
【図１】
0005441353.tif 000002
【図２】
0005441353.tif 000003
【図３】
0005441353.tif 000004
【図４】
0005441353.tif 000005
【図５】
0005441353.tif 000006
【図６】
0005441353.tif 000007
【図７】
0005441353.tif 000008